(57)【要約】【課題】ケーシング内に、高圧燃料を導入可能な高圧室と、高圧室に導入された高圧燃料を吐出するための燃料吐出口と、燃料タンク内に連通させる低圧室と、高圧室の燃料を調圧可能な調圧弁とを備えた燃料圧力調整体において、ケーシングの高圧室周壁を飛び石等の衝撃から保護し、併せて、調圧弁等の作動音を外部に漏れにくくする。【解決手段】燃料圧力調整体が備える調圧弁Ｖは、高圧室Ｈ及び低圧室Ｌ間を連通するようにケーシングＣに設けた受容孔Ｍに液密に嵌装される弁ハウジングＶｈと、その弁ハウジングＶｈ内に収納されて高圧室Ｈ及び低圧室Ｌ間を導通・遮断可能な弁体Ｖｖとを少なくとも備え、低圧室Ｌは、高圧室Ｈ及び受容孔Ｍを取り囲むように高圧室Ｈ及び受容孔Ｍの周囲に延在した環状空間部Ｌｏを少なくとも含む。【選択図】    図１
2017137796.tif 000002
【特許請求の範囲】
【請求項１】
ケーシング（Ｃ）内に、高圧燃料を導入可能な高圧室（Ｈ）と、その高圧室（Ｈ）に導入された高圧燃料を吐出するための燃料吐出口（１２）と、燃料タンク（Ｔ）内に連通させる低圧室（Ｌ）と、前記高圧室（Ｈ）の燃料圧力を調整可能な調圧弁（Ｖ）とを備える燃料圧力調整体において、
前記調圧弁（Ｖ）は、前記高圧室（Ｈ）及び前記低圧室（Ｌ）間を連通するように前記ケーシング（Ｃ）に設けた受容孔（Ｍ）に液密に嵌装される弁ハウジング（Ｖｈ）と、その弁ハウジング（Ｖｈ）内に収納されて前記高圧室（Ｈ）及び前記低圧室（Ｌ）間を導通・遮断可能な弁体（Ｖｖ）とを少なくとも備え、
前記低圧室（Ｌ）は、前記高圧室（Ｈ）及び前記受容孔（Ｍ）を取り囲むように高圧室（Ｈ）及び受容孔（Ｍ）の周囲に延在した環状空間部（Ｌｏ）を少なくとも含むことを特徴とする燃料圧力調整体。
【請求項２】
前記ケーシング（Ｃ）の、少なくとも前記環状空間部（Ｌｏ）及び前記受容孔（Ｍ）をそれぞれ取り囲む部分（Ｃｍｏ，Ｃｍｉ）は一体成形されていて、その成形面で前記環状空間部（Ｌｏ）及び前記受容孔（Ｍ）が画成され、
前記環状空間部（Ｌｏ）及び前記受容孔（Ｍ）は、それらの中心軸線が互いに一致し又は略平行であることを特徴とする、請求項１に記載の燃料圧力調整体。
【請求項３】
前記一体成形は、合成樹脂による射出成形であって、燃料ポンプユニット（Ｕ）の、少なくとも高圧燃料の吐出筒部（２ａ）をインサートモールドすることを特徴とする、請求項２に記載の燃料圧力調整体。
【請求項４】
前記高圧室（Ｈ）は、前記受容孔（Ｍ）に対し同一軸線上で隣接配置配置され、
前記ケーシング（Ｃ）の、前記高圧室（Ｈ）を取り囲む内壁部分（Ｃｍｉ）は、その内壁部分（Ｃｍｉ）の、前記受容室（Ｍ）とは反対側の端面（Ｃｍｉｅ）が前記吐出筒部（２ａ）の先端面（２ａｅ）の少なくとも一部に全周に亘り密着していることを特徴とする、請求項３に記載の燃料圧力調整体。
【請求項５】
合成樹脂製の前記ケーシング（Ｃ）には、前記燃料ポンプユニット（Ｕ）の受電部（１０）に接続されるカプラ端子（ＣＰｔ）と共にカプラ（ＣＰ）を構成するカプラ筒部（ＣＰｃ）が一体に形成されており、
前記一体成形は、少なくとも前記受電部（１０）及び前記カプラ端子（ＣＰｔ）の一部をインサートモールドするものであり、
前記カプラ端子（ＣＰｔ）は、前記ケーシング（Ｃ）の壁中で、前記低圧室（Ｌ）に連なる連通孔（１５）に露出していることを特徴とする、請求項４に記載の燃料圧力調整体。
【請求項６】
前記低圧室（Ｌ）の前記環状空間部（Ｌｏ）に開口する前記連通孔（１５）と、前記受容孔（Ｍ）とは、それらの中心軸線が略平行であることを特徴とする、請求項５に記載の燃料圧力調整体。
【請求項７】
前記請求項４〜６の何れか１項に記載の燃料圧力調整体（Ａ）と、前記ケーシング（Ｃ）に固定される前記燃料ポンプユニット（Ｕ）とを含む燃料供給モジュールであって、
前記ケーシング（Ｃ）には、一端が前記燃料ポンプユニット（Ｕ）の脱気口（２ｄ）に連通すると共に他端が前記環状空間部（Ｌｏ）に連通する脱気通路（２０）の少なくとも一部が設けられることを特徴とする燃料供給モジュール。
【発明の詳細な説明】
【技術分野】
【０００１】
本発明は、燃料圧力を調整可能な調圧弁をケーシングに内蔵した燃料圧力調整体に関し、更にそのような燃料圧力調整体と燃料ポンプユニットとを複合した燃料供給モジュールに関する。
【背景技術】
【０００２】
上記燃料圧力調整体として、例えばケーシング内に、高圧燃料を導入可能な高圧室と、その高圧室に導入された高圧燃料を吐出するための燃料吐出口と、燃料タンク内に連通させる低圧室と、高圧室の燃料圧力の過度の上昇に応じて高圧室から低圧室に燃料をリークさせるレギュレータ弁（調圧弁）とを備えた構造のものは、例えば特許文献１に示されるように従来公知である。
【先行技術文献】
【特許文献】
【０００３】
【特許文献１】特開２００４−１３７９３６号公報
【発明の概要】
【発明が解決しようとする課題】
【０００４】
上記従来の燃料圧力調整体では、ケーシングの外壁部分が、高圧室を直接取り囲むように形成されていたので、その外壁部分（即ち高圧室の周壁）が大きな外力を受けたり或いは飛び石等に衝突されたりして破損すると、高圧室から急激な燃料流出が起こる虞れがある。また、高圧室のみならず調圧弁もまたケーシングの外壁部分に直接取り囲まれる構造であることから、調圧弁の作動音や、燃料ポンプから高圧室側に伝播するポンプ作動音がケーシングの上記外壁部分を通して外部に漏れ易い問題もあった。
【０００５】
本発明は、斯かる事情に鑑みてなされたもので、上記問題を簡単な構造で解決し得る燃料圧力調整体、並びにその燃料圧力調整体を組み込んだ燃料供給モジュールを提供することを目的とする。
【課題を解決するための手段】
【０００６】
上記目的を達成するために、本発明は、ケーシング内に、高圧燃料を導入可能な高圧室と、その高圧室に導入された高圧燃料を吐出するための燃料吐出口と、燃料タンク内に連通させる低圧室と、前記高圧室の燃料圧力を調整可能な調圧弁とを備える燃料圧力調整体において、前記調圧弁は、前記高圧室及び前記低圧室間を連通するように前記ケーシングに設けた受容孔に液密に嵌装される弁ハウジングと、その弁ハウジング内に収納されて前記高圧室及び前記低圧室間を導通・遮断可能な弁体とを少なくとも備え、前記低圧室は、前記高圧室及び前記受容孔を取り囲むように高圧室及び受容孔の周囲に延在した環状空間部を少なくとも含むことを第１の特徴とする。
【０００７】
また本発明は、上記第１の特徴に加えて、前記ケーシングの、少なくとも前記環状空間部及び前記受容孔をそれぞれ取り囲む部分は一体成形されていて、その成形面で前記環状空間部及び前記受容孔が画成され、前記環状空間部及び前記受容孔は、それらの中心軸線が互いに一致し又は平行であることを第２の特徴とする。
【０００８】
また本発明は、上記第２の特徴に加えて、前記一体成形は、合成樹脂による射出成形であって、燃料ポンプユニットの、少なくとも高圧燃料の吐出筒部をインサートモールドすることを第３の特徴とする。
【０００９】
また本発明は、上記第３の特徴に加えて、前記高圧室は、前記受容孔に対し同一軸線上で隣接配置され、前記ケーシングの、前記高圧室を取り囲む内壁部分は、その内壁部分の、前記受容室とは反対側の端面が前記吐出筒部の先端面の少なくとも一部に全周に亘り密着していることを第４の特徴とする。
【００１０】
また本発明は、上記第４の特徴に加えて、合成樹脂製の前記ケーシングには、前記燃料ポンプユニットの受電部に接続されるカプラ端子と共にカプラを構成するカプラ筒部が一体に形成されており、前記一体成形は、少なくとも前記受電部及び前記カプラ端子の一部をインサートモールドするものであり、前記カプラ端子は、前記ケーシングの壁中で、前記低圧室に連なる連通孔に露出していることを第５の特徴とする。
【００１１】
また本発明は、上記第５の特徴に加えて、前記低圧室の前記環状空間部に開口する前記連通孔と、前記受容孔とは、それらの中心軸線が略平行であることを第６の特徴とする。
【００１２】
また本発明は、前記第４〜第６の何れかの特徴を有する燃料圧力調整体と、前記ケーシングに固定される前記燃料ポンプユニットとを含む燃料供給モジュールであって、前記ケーシングには、一端が前記燃料ポンプユニットの脱気口に連通すると共に他端が前記環状空間部に連通する脱気通路の少なくとも一部が設けられることを第７の特徴とする。
【発明の効果】
【００１３】
本発明の第１の特徴によれば、燃料圧力調整体のケーシングに設けられて燃料タンク内に連通する低圧室は、ケーシングの高圧室と調圧弁の受容孔とを取り囲むように、それら高圧室及び受容孔の周囲に延在した環状空間部を含むので、ケーシングの高圧室周壁を外力や飛び石等の衝撃から効果的に保護することができ、これにより、その外力や衝撃のために高圧室周壁が破損して高圧室からの急激な燃料漏出を起こす事態を未然に且つ有効に防止可能となる。しかも低圧室の上記環状空間部が高圧室及び受容孔を取り囲むことで、受容孔内の調圧弁の作動音や、燃料ポンプユニットから高圧室側に伝播するポンプ作動音を有効に遮音できるため、それら作動音がケーシングを通して外部に漏れるのを効果的に抑制可能となる。
【００１４】
また特に第２の特徴によれば、ケーシングの、少なくとも環状空間部及び受容孔をそれぞれ取り囲む部分は一体成形されていて、その成形面で環状空間部及び受容孔が画成され、環状空間部及び受容孔は、それらの中心軸線が互いに一致し又は略平行であるので、燃料を遮蔽する幾つかの空間（即ち低圧室や受容孔等）を有するケーシングを製作するに当たり、シール材や多数の壁材を組立ててケーシングを構成する必要はなくなり、燃料の液密性を確保しつつケーシングを効率よく安価に製造可能となる。しかもケーシングの一体成形時に単一の金型ピンで受容孔及び低圧室を同時且つ容易に成形可能となり、生産効率の向上に寄与することができる。
【００１５】
また特に第３の特徴によれば、上記一体成形は樹脂モールド成形であって、燃料ポンプユニットの、少なくとも高圧燃料の吐出筒部をインサートモールドするので、シール部材を特別に用いることなく燃料圧力調整体と燃料ポンプユニットとの間の十分な液密性が確保可能となる。また燃料圧力調整体と燃料ポンプユニットとを一纏めに組立てる工程の簡素化が図られる。
【００１６】
また特に第４の特徴によれば、高圧室は、受容孔に対し同一軸線上で隣接配置され、ケーシングの、高圧室を取り囲む内壁部分は、その内壁部分の、受容室とは反対側の端面が吐出筒部の先端面の少なくとも一部にその全周に亘り密着しているので、ケーシングの樹脂モールド成形時に単一の金型ピンで、受容孔及び低圧室のみならず高圧室をも同時且つ容易に成形可能となると共に、燃料ポンプユニットの吐出筒部とケーシング間の封止も同時に行うことができ、これにより、生産効率の更なる向上が図られる。
【００１７】
また特に第５の特徴によれば、ケーシングの樹脂モールド成形と同時にカプラをケーシングに一体化できるので、コスト節減が図られる。その上、ケーシングと共に一部がインサートモールドされるカプラ端子は、ケーシングの壁中で、低圧室に連なる連通孔に露出しているので、燃料ポンプユニット内の高圧燃料がカプラ端子とケーシング（樹脂）との境界面を伝って外部に漏出しようとしても、その境界面からの漏出燃料が上記連通孔を通して低圧室（従って燃料タンク）に導かれ、これにより、外部への燃料漏出を効果的に防止可能である。
【００１８】
また特に第６の特徴によれば、低圧室の環状空間部に開口する連通孔と、受容孔とは、それらの中心軸線が略平行であるので、ケーシングの樹脂モールド成形時に単一の金型ピンで受容孔、低圧室及び連通孔を同時且つ容易に成形可能となり、生産効率の更なる向上に寄与することができる。
【００１９】
また特に第７の特徴によれば、ケーシングには、一端が燃料ポンプユニットの脱気口に連通すると共に他端が環状空間部に連通する脱気通路が設けられるので、燃料ポンプユニットから燃料タンクに戻される燃料流路（低圧室）を利用して燃料ポンプユニット内の脱気を行うことができ、脱気のための専用外部配管が不要となり、構造の簡素化・小型化に寄与することができる。その上、脱気通路を低圧室、特に受容孔周囲で環状に延在する環状空間部に連通させるため、脱気通路のレイアウトの自由度が高まり、脱気通路を容易に配置可能となる。
【図面の簡単な説明】
【００２０】
【図１】本発明の第１実施形態を示す燃料供給モジュールの全体縦断面図（図２の１−１線断面図）
【図２】前記燃料供給モジュールの要部横断面図（図１の２−２線断面図）
【図３】前記燃料供給モジュールのケーシング本体のモールド成形過程を説明するための図１対応断面図及び一部拡大図
【図４】本発明の第２実施形態を示す燃料供給モジュールの全体縦断面図（図１対応図）及び一部拡大図
【発明を実施するための形態】
【００２１】
本発明の実施の形態を、添付図面に例示した本発明の実施例に基づいて以下に具体的に説明する。
【００２２】
図１〜図３を参照して、本発明の第１実施形態を説明する。走行車両に搭載される内燃機関には、燃料噴射装置としての燃料噴射弁Ｆが付設されており、その燃料噴射弁Ｆと燃料タンクＴとの間を接続する燃料導管１には、燃料タンクＴ内から燃料を吸引加圧して燃料噴射弁Ｆに供給する燃料供給モジュールＦＭが設けられる。
【００２３】
この燃料供給モジュールＦＭは、燃料ポンプユニットＵと、この燃料ポンプユニットＵが吐出する燃料の圧力が過度に上昇しないよう調圧する燃料圧力調整体Ａとを複合一体化して構成される。燃料ポンプユニットＵは、単一のユニットケース２内に、図示しない燃料ポンプとこれを駆動する電動モータとを一纏めに密封、収納してユニット化したものであって、その構造は従来より知られており、また本発明の要旨ではないので、具体的な説明は省略する。
【００２４】
先ず、燃料圧力調整体Ａについて説明する。燃料圧力調整体Ａは、合成樹脂製のケーシングＣ内に、高圧燃料を導入可能な高圧室Ｈと、燃料タンクＴ内に連通させる低圧室Ｌと、高圧室Ｈの燃料圧力が所定値を超えるのに応じて高圧室Ｈから低圧室Ｌに燃料をリークさせることで高圧室Ｈの燃料圧力を所定値以下に調整する、調圧弁としてのレギュレータ弁Ｖとを備えている。
【００２５】
ケーシングＣは、概ね有底円筒状をなすケーシング本体Ｃｍと、そのケーシング本体Ｃｍの開放端部に一体的且つ液密に結合されて開放端面を覆うカバー体Ｃａとを備える。そのカバー体Ｃａのケーシング本体Ｃｍに対する結合手段は任意であり、例えば溶着手段、接着手段、ねじ止め手段等が実施可能である。カバー体Ｃａの外面には、ドレン管部３が突設されており、ドレン管部３には、燃料タンクＴ内に連通するドレン配管４が接続される。
【００２６】
ケーシング本体Ｃｍとカバー体Ｃａとの相対向面間には低圧室Ｌが画成される。この低圧室Ｌは、カバー体Ｃａの内側面が臨む扁平な円板状の基部空間部Ｌｂと、その基部空間部Ｌｂの外周部に直接連通する円筒状の環状空間部Ｌｏとを備える。その環状空間部Ｌｏは、ケーシング本体Ｃｍの、カバー体Ｃａとの対向面の一部を凹ませて形成した環状凹部の内面により画成される。
【００２７】
ケーシング本体Ｃｍには、基部空間部Ｌｂの中心部に直接連通する円柱状の受容室Ｍと、受容室Ｍに同一軸線（即ちケーシングＣの中心軸線）上に縦列配置されて受容室Ｍに直接連通する高圧室Ｈとが形成される。而して、低圧室Ｌの環状空間部Ｌｏは、高圧室Ｈ及び受容孔Ｍを同心状に取り囲むように高圧室Ｈ及び受容孔Ｍの周囲に延在する。
【００２８】
レギュレータ弁Ｖは、受容室Ｍの周壁に液密に（即ちシール部材を介して）嵌装される弁ハウジングＶｈと、弁ハウジングＶｈに設けられる弁孔５を開閉可能な弁体Ｖｖと、弁体Ｖｖを閉弁方向（図１右方）に弾発する弁ばねＶｓとを備える。
【００２９】
弁ハウジングＶｈは、上記弁孔５が高圧室Ｈ及び低圧室Ｌ間を連通させるように形成される弁ハウジング本体Ｖｈｍと、その弁ハウジング本体Ｖｈｍに嵌着されて弁ばねＶｓの固定端を支持する有底円筒状のばね受けＶｈｓとで構成される。
【００３０】
また弁ハウジング本体Ｖｈｍには、弁孔５の低圧室Ｌ側の開口縁部に弁座６が形成される。この弁座６に接離可能に着座する弁体Ｖｖとして、本実施形態では弁ボールが採用される。尚、本発明の弁体Ｖｖは、本実施形態に限定されず、例えばポペット状弁体を用いてもよい。
【００３１】
また弁体Ｖｖには、低圧室Ｌ側に延びる弁杆８が固着（又は一体に形成）され、作動杆８の大径基部で弁ばねＶｓの可動端が支持される。この弁杆８の小径先端部は、カバー体Ｃａ外面のドレン管３内に臨んでいる。
【００３２】
而して、弁体Ｖｖは、通常は弁ばねＶｓの弾発力で閉弁位置（即ち弁座６に対する着座位置）に保持され、また高圧室Ｈの燃料圧力が所定の開弁圧力以上に増大するのに応じて弁ばねＶｓに抗して弁座６から離れるよう開弁動作する。この開弁動作により、高圧室Ｈ及び低圧室Ｌ間が連通して高圧室Ｈの高圧燃料の一部を低圧室Ｌ側にリークさせ、そこからドレン管３を介して燃料タンクＴ側に逃がす。これにより、高圧室Ｈの燃料圧力（即ち燃料ポンプユニットＵからの吐出燃料圧力）が所定値以下に調整される。
【００３３】
ところでケーシング本体Ｃｍは、これの少なくとも、環状空間部Ｌｏを取り囲む略円筒状の外壁部分Ｃｍｏと、受容孔Ｍ及び高圧室Ｈを取り囲む同じく略円筒状の内壁部分Ｃｍｉとが、ケーシング本体Ｃｍの他の部分と共に一体成形される。そして、その成形面で、低圧室Ｌ（特に環状空間部Ｌｏの略全部及び基部空間部Ｌｂの一部）並びに受容孔Ｍ及び高圧室Ｈが画成される。そして、低圧室Ｌの略円筒形状となる環状空間部Ｌｏと、段突き円柱状となる受容孔Ｍ及び高圧室Ｈとは、それらの中心軸線が互いに一致し又は略平行である。
【００３４】
またケーシング本体Ｃｍの、レギュレータ弁Ｖとは反対側（図１右側）の端部には吸込管部１１が一体に突設され、この吸込管部１１の内端は、ユニットケース２の同側の端部に開口する燃料ポンプユニットＵの燃料吸込口２ｉに連通する。また、吸込管部１１は、燃料導管１の上流側導管部分に接続されており、燃料導管１を介して燃料タンクＴに連通する。
【００３５】
更にケーシング本体Ｃｍの外周部には、高圧室Ｈの高圧燃料を吐出させる燃料吐出口としての吐出管部１２が一体に突設される。この吐出管部１２は、燃料導管１の下流側導管部分を介して燃料噴射弁Ｆに接続されており、高圧室Ｈの高圧燃料を燃料噴射弁Ｆに供給できるようになっている。
【００３６】
ケーシングＣを分割構成するカバー体Ｃａ及びケーシング本体Ｃｍは、本実施形態では合成樹脂の射出成形により各々、一体物として形成される。そして、特にケーシング本体Ｃｍには、高圧室Ｈに隣接する部位において、予め別の製造工程で組立てられた燃料ポンプユニットＵの少なくとも一部（本実施形態では全部）が、射出成形に伴いインサートモールドされる。
【００３７】
燃料ポンプユニットＵのユニットケース２の一端部には、ユニットケース２内の燃料ポンプから吐出される高圧燃料の出口となる段付きの吐出筒部２ａが一体に突設される。そして、ケーシング本体Ｃｍの、高圧室Ｈを取り囲む内壁部分Ｃｍｉは、それの受容室Ｍとは反対側の端面Ｃｍｉｅが、吐出筒部２ａの先端面２ａｅの少なくとも一部に全周に亘り密着した状態に配置、構成される。
【００３８】
また本実施形態では、ケーシング本体Ｃｍに燃料ポンプユニットＵへの給電用カプラＣＰが設けられる。このカプラＣＰは、ケーシング本体Ｃｍの外周部に一体に突設したカプラ筒部ＣＰｃと、カプラ筒部ＣＰｃ内に外端部を臨ませた３つのカプラ端子ＣＰｔとで構成される。それらカプラ端子ＣＰｔの内端部は、燃料ポンプユニットＵ（特にユニットＵ内の電動モータ）の受電部としてユニットケース２の端面より突出する３つの導電性接続部材１０にそれぞれ結合（即ち電気的に接続）される。而して、上記カプラＣＰが、図示しない外部配線のカプラと抜差可能に結合されることで、エンジンの運転時には外部配線を通して燃料ポンプユニットＵ内の電動モータに通電（従って燃料ポンプを駆動）できるようになっている。
【００３９】
ケーシング本体Ｃｍを前述のように射出成形する際には、上記カプラ端子ＣＰｔの一部と導電性接続部材１０とが、燃料ポンプユニットＵと共にケーシング本体Ｃｍ中にインサートモールドされる。
【００４０】
またケーシング本体Ｃｍには、各カプラ端子ＣＰｔの少なくとも一部を低圧室Ｌに連通させる３つの連通孔１５が互いに間隔をおいて形成される。この連通孔１５の一端は低圧室Ｌの環状空間部Ｌｏに開口しており、またその他端には各カプラ端子ＣＰｔの中間部の板面が露出している。この連通孔１５は、ケーシングＣの軸線に沿う方向に直線状に延びており、従って、連通孔１５と、高・低圧室Ｈ，Ｌや受容孔Ｍとは、それらの中心軸線が略平行である。尚、各連通孔１５に露出する各カプラ端子ＣＰｔの中間部には、連通孔１５よりも小径の小貫通孔ｈが形成され、この小貫通孔ｈには、後述する金型ピンＰの位置決め用突起Ｐａｔｓが挿入可能である。
【００４１】
次に第１実施形態の作用を説明する。エンジンの運転時には、通電状態となる燃料ポンプユニットＵが作動して燃料タンクＴ内の燃料を吸引加圧し、その加圧燃料を燃料圧力調整体Ａを通してエンジンの燃料噴射弁Ｆに供給する。
【００４２】
この場合、燃料ポンプユニットＵからの吐出燃料圧力（即ち高圧室Ｈの圧力）が所定値以上に上昇しようとすれば、燃料圧力調整体Ａのレギュレータ弁Ｖが開弁動作することにより高圧室Ｈの高圧燃料の一部を低圧室Ｌ側にリークさせ、そのリークした燃料を低圧室Ｌからドレン管３を介して燃料タンクＴ側に逃がす。これにより、高圧室Ｈの燃料圧力、燃料ポンプユニットＵからの吐出燃料圧力が所定値以下に調整される。
【００４３】
特に本実施形態の燃料圧力調整体Ａにおいては、ケーシングＣ内に画成される低圧室Ｌが、ケーシングＣの高圧室Ｈとレギュレータ弁収納用の受容孔Ｍとを取り囲むように、それら高圧室Ｈ及び受容孔Ｍの周囲に延在した環状空間部Ｌｏを含むものであり、この環状空間部Ｌｏの特設により、ケーシングＣの高圧室周壁（即ち内壁部分Ｃｍｉ）を外力や飛び石等の衝撃から効果的に保護できる。これにより、その外力や衝撃のために高圧室周壁Ｃｍｉが破損して高圧室Ｈからの急激な燃料漏出が起きる事態を未然に且つ有効に防止することができる。しかも低圧室Ｌの環状空間部Ｌｏが高圧室Ｈ及び受容孔Ｍを取り囲むことで、受容孔Ｍ内のレギュレータ弁Ｖが発する作動音や、燃料ポンプユニットＵから高圧室Ｈ側に伝播するポンプ作動音等を有効に遮音できるため、それらの作動音がケーシングＣを通して外部に漏れるのを効果的に抑制可能となる。
【００４４】
また本実施形態のケーシングＣにおいて、ケーシング本体Ｃｍは、これの上記環状空間部Ｌｏを取り囲む部分Ｃｍｏと、受容孔Ｍ及び高圧室Ｈを取り囲む部分Ｃｍｉとが一体成形されていて、その成形面で、低圧室Ｌ（特に環状空間部Ｌｏの略全部及び基部空間部Ｌｂの一部）、並びに受容孔Ｍ及び高圧室Ｈが画成されており、低圧室Ｌの環状空間部Ｌｏと、受容孔Ｍ及び高圧室Ｈとは、それらの中心軸線が互いに一致し又は略平行である。これにより、燃料を遮蔽する幾つかの空間（高・低圧室Ｈ，Ｌや受容孔Ｍ等）を有するケーシング本体Ｃｍを製作するに当たり、シール材や多数の壁材を組立ててケーシング本体Ｃｍを構成する必要はなくなるため、燃料の液密性を確保しつつケーシング本体Ｃｍを効率よく安価に製造可能となる。しかも後述するように単一の金型ピンＰを使用することで、高・低圧室Ｈ，Ｌや受容孔Ｍを同時且つ容易に精度よく成形可能となるため、生産効率の向上が図られる。
【００４５】
ところで合成樹脂による射出成形によりケーシング本体Ｃｍを一体成形する際には、予め燃料ポンプユニットＵの受電部としての導電性接続部材１０にカプラ端子ＣＰｔを結合した上で、この燃料ポンプユニットＵを金型（図示せず）のキャビティの所定位置にセットする。そして、そのキャビティに溶融状態の合成樹脂材を射出して、燃料ポンプユニットＵの、吐出筒部２ａを含むユニット全体をケーシング本体Ｃｍ中にインサートモールドする。これにより、シール部材を特別に用いることなく燃料圧力調整体Ａと燃料ポンプユニットＵとの間の十分な液密性が確保可能となり、燃料圧力調整体Ａと燃料ポンプユニットＵとを一纏めに組立てる工程の簡素化が図られる。
【００４６】
また上記インサートモールドを実施する際には、例えば図３に例示したような単一の金型ピンＰが使用される。この金型ピンＰは、環状空間部Ｌｏ成形用の第１突出部Ｐａと、受容室Ｍ及び高圧室Ｈ成形用の段付きの第２突出部Ｐｂとを一体に有している。第１突出部Ｐａの先端には、連通孔１５成形用の３つの小径突部Ｐａｔが一体に連設され、更にその小径突部Ｐａｔの先端面には、各カプラ端子ＣＰｔの中間部に設けた前記小貫通孔ｈに挿入可能な位置決め用突起Ｐａｔｓが一体に突設される。また第２突出部Ｐｂの先端面には、燃料ポンプユニットＵの吐出筒部２ａの先端開口に挿入可能な位置決め用突起Ｐｂｓが一体に突設される。
【００４７】
そして、射出成型前に金型ピンＰ及び燃料ポンプユニットＵを上記金型にセットした状態では、金型ピンＰ（第１突出部Ｐａ）の小径突部Ｐａｔの先端面をカプラ端子ＣＰｔの中間部の板面に突き当て且つ位置決め用突起Ｐａｔｓを小貫通孔ｈに挿入させると共に、第２突出部Ｐｂの先端面を燃料ポンプユニットＵの吐出筒部２ａの先端面２ａｅに突き当て且つ位置決め用突起Ｐｂｓを吐出筒部２ａに挿入させることで、金型ピンＰの金型への位置決め（従ってセット作業）が容易且つ的確になされる。
【００４８】
斯かるセット状態よりケーシング本体Ｃｍの射出成形が完了して金型ピンＰを金型より抜き出したときは、ケーシング本体Ｃｍにおいて、第１突出部Ｐａの抜き跡には環状空間部Ｌｏ及び連通孔１５が形成され、また第２突出部Ｐｂの抜き跡には、受容室Ｍ及び高圧室Ｈが形成される。そして、射出成形後のケーシング本体Ｃｍにおいて、高圧室Ｈは、受容孔Ｍに対し同一軸線上で隣接配置され、ケーシング本体Ｃｍの、高圧室Ｈを取り囲む環状内壁部分Ｃｍｉは、内壁部分Ｃｍｉの、受容室Ｍとは反対側の端面Ｃｍｉｅが燃料ポンプユニットＵの吐出筒部２ａの先端面２ａｅの一部にその全周に亘り密着している。
【００４９】
而して、ケーシング本体Ｃｍの樹脂モールド成形時に単一の金型ピンＰで、上述のように高・低圧室Ｈ，Ｌや受容孔Ｍを同時に成形できるだけでなく、燃料ポンプユニットＵの吐出筒部２ａとケーシング本体Ｃｍ間の封止も同時に的確に行うことができ、生産効率の更なる向上が図られる。
【００５０】
また本実施形態のケーシング本体Ｃｍには、燃料ポンプユニットＵへの給電用カプラ端子ＣＰｔと共にカプラＣＰを構成するカプラ筒部ＣＰｃが一体に形成されており、燃料ポンプユニットＵの受電部即ち導電性接続部材１０と、これに結合したカプラ端子ＣＰｔの一部とがインサートモールドされるため、ケーシング本体Ｃｍの樹脂モールド成形と同時にカプラＣＰをケーシング本体Ｃｍに一体に組み込むことができ、コスト節減が図られる。しかもカプラ端子ＣＰｔの一部は、ケーシング本体Ｃｍの壁中で、低圧室Ｌ（環状空間部Ｌｏ）に連なる連通孔１５に露出しているため、燃料ポンプユニットＵ内の高圧燃料が接続部材１０及びカプラ端子ＣＰｔと、ケーシング本体Ｃｍ（樹脂）との境界面の微小間隙を伝って外部に漏出しようとしても、その境界面からの漏出燃料が上記連通孔１５を通して低圧室Ｌ（従って燃料タンクＴ）に導かれる。これにより、上記境界面を通して燃料の外部漏出を効果的に防止することができる。
【００５１】
その上、低圧室Ｌの環状空間部Ｌｏに開口する連通孔１５と、高・低圧室Ｈ，Ｌや受容孔Ｍとは、それらの中心軸線が略平行であるので、ケーシング本体Ｃｍの樹脂モールド成形時に単一の金型ピンＰで、連通孔１５と、高・低圧室Ｈ，Ｌや受容孔Ｍとを同時且つ容易に成形可能となり、生産効率の更なる向上が図られる。
【００５２】
次に図４を参照して、第２実施形態を説明する。
【００５３】
この第２実施形態の燃料ポンプユニットＵにおいて、ユニットケース２の、レギュレータ弁Ｖとは反対側の端部には、燃料ポンプユニットＵ内に発生した気泡を排出するための脱気口２ｄが開口している。一方、ケーシング本体Ｃｍの外周壁には、ケーシング本体Ｃｍの軸線と平行に延びる脱気通路２０が形成される。この脱気通路２０の一端は、少なくとも１つのカプラ端子ＣＰｔの小貫通孔ｈ及び連通孔１５を通して低圧室Ｌの環状空間部Ｌｏに連通する。また脱気通路２０の他端は、ケーシング本体Ｃｍの上記端部に形成した連通室２１を介して上記脱気口２ｄに連通している。ケーシング本体Ｃｍの上記端部には、連通室２１の外側を液密に閉塞する栓体２２が後付けで固着される。
【００５４】
その他の構成は、第１実施形態と同様であるので、各構成要素には、第１実施形態で対応する構成要素と同一の参照符号を付すに止め、説明は省略する。
【００５５】
而して、第２実施形態においても、第１実施形態の前記した作用効果と基本的に同様の作用効果を達成可能である。
【００５６】
更に第２実施形態のケーシング本体Ｃｍには、一端が燃料ポンプユニットＵの脱気口２ｄに連通すると共に他端が低圧室Ｌの環状空間部Ｌｏに連通する脱気通路２０が、ケーシング本体Ｃｍの軸線に沿うように形成されるため、燃料ポンプユニットＵの吐出側から燃料タンクＴ側へ過剰燃料を戻すための燃料流路（即ち低圧室Ｌ）を利用して燃料ポンプユニットＵ内の脱気を行うことができる。これにより、脱気のための専用外部配管が不要となり、構造の簡素化・小型化が図られる。その上、脱気通路２０を低圧室Ｌ、特に受容孔Ｍ周囲で環状に延在する環状空間部Ｌｏに連通させるため、脱気通路２０のレイアウトの自由度が高められると共に短縮化が図られ、脱気通路２０を容易に配置可能となる。
【００５７】
以上、本発明の実施形態について説明したが、本発明はそれら実施形態に限定されることなく、本発明の範囲内で種々の実施形態が可能である。
【００５８】
例えば、前記実施形態では、燃料圧力調整体ＡのケーシングＣ（ケーシング本体Ｃｍ）に燃料ポンプユニットＵの全部がインサートモールドされたものを示したが、本発明では、燃料ポンプユニットＵの一部、例えば吐出筒部２ａだけをケーシング本体Ｃｍにインサートモールドするようにして、燃料ポンプユニットＵの残余の部分を外部に露出させるようにしてもよい。また、請求項１，２の発明では、燃料圧力調整体Ａに燃料ポンプユニットＵを、例えばインサートモールド以外の結合手段（例えばネジ止め、溶接、溶着、カシメ、接着等）で結合するようにしてもよい。
【００５９】
また前記実施形態では、ケーシング本体Ｃｍに設けた燃料吐出部（吐出管部１２）を、燃料導管１を介して燃料噴射装置（燃料噴射弁Ｆ）に接続したものを示したが、燃料噴射装置（燃料噴射弁Ｆ）及び燃料供給モジュールＦＭの配置・構造によっては、ケーシング本体Ｃｍの燃料吐出部（吐出管部１１）を燃料噴射装置（燃料噴射弁Ｆ）に対して、燃料導管１を介さずに直結するようにしてもよい。
【符号の説明】
【００６０】
Ａ・・・・・・燃料圧力調整体
Ｃ・・・・・・ケーシング
Ｃｍｉ・・・・内壁部分（ケーシングの受容孔を取り囲む部分）
Ｃｍｉｅ・・・内壁部分の、受容室とは反対側の端面
Ｃｍｏ・・・・外壁部分（ケーシングの環状空間部を取り囲む部分）
ＣＰ・・・・・カプラ
ＣＰｃ・・・・カプラ筒部
ＣＰｔ・・・・カプラ端子
ＦＭ・・・・・燃料供給モジュール
Ｈ・・・・・・高圧室
Ｌ・・・・・・低圧室
Ｌｏ・・・・・環状空間部
Ｍ・・・・・・受容孔
Ｖ・・・・・・レギュレータ弁（調圧弁）
Ｖｈ・・・・・弁ハウジング
Ｖｖ・・・・・弁体
Ｕ・・・・・・燃料ポンプユニット
２ａ・・・・・吐出筒部
２ａｅ・・・・吐出筒部の先端面
２ｄ・・・・・脱気口
１０・・・・・導電性接続部材（受電部）
１２・・・・・吐出管部（燃料吐出口）
１５・・・・・連通孔
２０・・・・・脱気通路
【図１】
2017137796.tif 000003
【図２】
2017137796.tif 000004
【図３】
2017137796.tif 000005
【図４】
2017137796.tif 000006
【手続補正書】
【提出日】平成29年4月27日(2017.4.27)
【手続補正１】
【補正対象書類名】特許請求の範囲
【補正対象項目名】全文
【補正方法】変更
【補正の内容】
【特許請求の範囲】
【請求項１】
ケーシング（Ｃ）内に、高圧燃料を導入可能な高圧室（Ｈ）と、その高圧室（Ｈ）に導入された高圧燃料を吐出するための燃料吐出口（１２）と、燃料タンク（Ｔ）内に連通させる低圧室（Ｌ）と、前記高圧室（Ｈ）の燃料圧力を調整可能な調圧弁（Ｖ）とを備える燃料圧力調整体において、
前記調圧弁（Ｖ）は、前記高圧室（Ｈ）及び前記低圧室（Ｌ）間を連通するように前記ケーシング（Ｃ）に設けた受容孔（Ｍ）に液密に嵌装される弁ハウジング（Ｖｈ）と、その弁ハウジング（Ｖｈ）内に収納されて前記高圧室（Ｈ）及び前記低圧室（Ｌ）間を導通・遮断可能な弁体（Ｖｖ）とを少なくとも備え、
前記低圧室（Ｌ）は、前記高圧室（Ｈ）及び前記受容孔（Ｍ）を取り囲むように高圧室（Ｈ）及び受容孔（Ｍ）の周囲に延在した環状空間部（Ｌｏ）を少なくとも含み、
前記ケーシング（Ｃ）の、少なくとも前記環状空間部（Ｌｏ）及び前記受容孔（Ｍ）をそれぞれ取り囲む部分（Ｃｍｏ，Ｃｍｉ）は合成樹脂により一体成形されていて、その成形面で前記環状空間部（Ｌｏ）及び前記受容孔（Ｍ）が画成され、
前記一体成形は、燃料ポンプユニット（Ｕ）の、少なくとも高圧燃料の吐出筒部（２ａ）をインサートモールドするものであり、
前記環状空間部（Ｌｏ）、前記受容孔（Ｍ）、前記高圧室（Ｈ）、及び前記吐出筒部（２ａ）は、それらの軸線の延びる方向が互いに略平行となるように配置されて、前記高圧室（Ｈ）は、前記受容孔（Ｍ）に対し同一軸線上で隣接配置され、
前記吐出筒部（２ａ）の先端面（２ａｅ）の少なくとも一部は、前記吐出筒部（２ａ）の中心軸を中心にして環状に前記高圧室内に露出していることを特徴とする燃料圧力調整体。
【請求項２】
合成樹脂製の前記ケーシング（Ｃ）には、前記燃料ポンプユニット（Ｕ）の受電部（１０）に接続されるカプラ端子（ＣＰｔ）と共にカプラ（ＣＰ）を構成するカプラ筒部（ＣＰｃ）が一体に形成されており、
前記一体成形は、少なくとも前記受電部（１０）及び前記カプラ端子（ＣＰｔ）の一部をインサートモールドするものであり、
前記カプラ端子（ＣＰｔ）は、前記ケーシング（Ｃ）の壁中で、前記低圧室（Ｌ）に連なる連通孔（１５）に露出していることを特徴とする、請求項１に記載の燃料圧力調整体。
【請求項３】
前記低圧室（Ｌ）の前記環状空間部（Ｌｏ）に開口する前記連通孔（１５）と、前記受容孔（Ｍ）とは、それらの中心軸線が略平行であることを特徴とする、請求項２に記載の燃料圧力調整体。
【請求項４】
前記請求項１〜３の何れか１項に記載の燃料圧力調整体（Ａ）と、前記ケーシング（Ｃ）に固定される前記燃料ポンプユニット（Ｕ）とを含む燃料供給モジュールであって、
前記ケーシング（Ｃ）には、一端が前記燃料ポンプユニット（Ｕ）の脱気口（２ｄ）に連通すると共に他端が前記環状空間部（Ｌｏ）に連通する脱気通路（２０）の少なくとも一部が設けられることを特徴とする燃料供給モジュール。
【請求項５】
高圧燃料を導入可能な高圧室（Ｈ）、その高圧室（Ｈ）に導入された高圧燃料を吐出するための燃料吐出口（１２）、燃料タンク（Ｔ）内に連通させる低圧室（Ｌ）、並びに前記高圧室（Ｈ）の燃料圧力を調整可能な調圧弁（Ｖ）をケーシング（Ｃ）内に備える燃料圧力調整体と、前記ケーシング（Ｃ）に固定される燃料ポンプユニット（Ｕ）と、前記低圧室（Ｌ）から前記燃料タンク（Ｔ）に燃料を戻すドレン管（３）とを備え、前記燃料タンク（Ｔ）外に設けられる燃料供給モジュールにおいて、
前記調圧弁（Ｖ）は、前記高圧室（Ｈ）及び前記低圧室（Ｌ）間を連通するように前記ケーシング（Ｃ）に設けた受容孔（Ｍ）に液密に嵌装される弁ハウジング（Ｖｈ）と、その弁ハウジング（Ｖｈ）内に収納されて前記高圧室（Ｈ）及び前記低圧室（Ｌ）間を導通・遮断可能な弁体（Ｖｖ）とを少なくとも備え、
前記低圧室（Ｌ）は、前記高圧室（Ｈ）及び前記受容孔（Ｍ）を取り囲むように高圧室（Ｈ）及び受容孔（Ｍ）の周囲に延在した環状空間部（Ｌｏ）を少なくとも含み、
前記環状空間部（Ｌｏ）、前記受容孔（Ｍ）、前記高圧室（Ｈ）、及び前記燃料ポンプユニット（Ｕ）の吐出筒部（２ａ）は、それらの軸線の延びる方向が互いに略平行となるように配置され、
前記ケーシング（Ｃ）には、一端が前記燃料ポンプユニット（Ｕ）の脱気口（２ｄ）に連通すると共に他端が前記環状空間部（Ｌｏ）に連通する脱気通路（２０）の少なくとも一部が設けられて、この脱気通路（２０）の前記他端が、前記環状空間部（Ｌｏ）に、該環状空間部（Ｌｏ）の軸線の延びる方向と同一方向に向けて開口することを特徴とする燃料供給モジュール。
【手続補正２】
【補正対象書類名】明細書
【補正対象項目名】全文
【補正方法】変更
【補正の内容】
【発明の詳細な説明】
【技術分野】
【０００１】
本発明は、燃料圧力を調整可能な調圧弁をケーシングに内蔵した燃料圧力調整体に関し、更にそのような燃料圧力調整体と燃料ポンプユニットとを複合した燃料供給モジュールに関する。
【背景技術】
【０００２】
上記燃料圧力調整体として、例えばケーシング内に、高圧燃料を導入可能な高圧室と、その高圧室に導入された高圧燃料を吐出するための燃料吐出口と、燃料タンク内に連通させる低圧室と、高圧室の燃料圧力の過度の上昇に応じて高圧室から低圧室に燃料をリークさせるレギュレータ弁（調圧弁）とを備えた構造のものは、例えば特許文献１に示されるように従来公知である。
【先行技術文献】
【特許文献】
【０００３】
【特許文献１】特開２００４−１３７９３６号公報
【発明の概要】
【発明が解決しようとする課題】
【０００４】
上記従来の燃料圧力調整体では、ケーシングの外壁部分が、高圧室を直接取り囲むように形成されていたので、その外壁部分（即ち高圧室の周壁）が大きな外力を受けたり或いは飛び石等に衝突されたりして破損すると、高圧室から急激な燃料流出が起こる虞れがある。また、高圧室のみならず調圧弁もまたケーシングの外壁部分に直接取り囲まれる構造であることから、調圧弁の作動音や、燃料ポンプから高圧室側に伝播するポンプ作動音がケーシングの上記外壁部分を通して外部に漏れ易い問題もあった。
【０００５】
本発明は、斯かる事情に鑑みてなされたもので、上記問題を簡単な構造で解決し得る燃料圧力調整体、並びにその燃料圧力調整体を組み込んだ燃料供給モジュールを提供することを目的とする。
【課題を解決するための手段】
【０００６】
上記目的を達成するために、本発明は、ケーシング内に、高圧燃料を導入可能な高圧室と、その高圧室に導入された高圧燃料を吐出するための燃料吐出口と、燃料タンク内に連通させる低圧室と、前記高圧室の燃料圧力を調整可能な調圧弁とを備える燃料圧力調整体において、前記調圧弁は、前記高圧室及び前記低圧室間を連通するように前記ケーシングに設けた受容孔に液密に嵌装される弁ハウジングと、その弁ハウジング内に収納されて前記高圧室及び前記低圧室間を導通・遮断可能な弁体とを少なくとも備え、前記低圧室は、前記高圧室及び前記受容孔を取り囲むように高圧室及び受容孔の周囲に延在した環状空間部を少なくとも含み、前記ケーシングの、少なくとも前記環状空間部及び前記受容孔をそれぞれ取り囲む部分は合成樹脂により一体成形されていて、その成形面で前記環状空間部及び前記受容孔が画成され、前記一体成形は、燃料ポンプユニットの、少なくとも高圧燃料の吐出筒部をインサートモールドするものであり、前記環状空間部、前記受容孔、前記高圧室、及び前記吐出筒部は、それらの軸線の延びる方向が互いに略平行となるように配置されて、前記高圧室は、前記受容孔に対し同一軸線上で隣接配置され、前記吐出筒部の先端面の少なくとも一部は、前記吐出筒部の中心軸を中心にして環状に前記高圧室内に露出していることを第１の特徴とする。
【０００７】
また本発明は、上記第１の特徴に加えて、合成樹脂製の前記ケーシングには、前記燃料ポンプユニットの受電部に接続されるカプラ端子と共にカプラを構成するカプラ筒部が一体に形成されており、前記一体成形は、少なくとも前記受電部及び前記カプラ端子の一部をインサートモールドするものであり、前記カプラ端子は、前記ケーシングの壁中で、前記低圧室に連なる連通孔に露出していることを第２の特徴とする。
【０００８】
また本発明は、上記第２の特徴に加えて、前記低圧室の前記環状空間部に開口する前記連通孔と、前記受容孔とは、それらの中心軸線が略平行であることを第３の特徴とする。
【０００９】
また本発明は、前記第１〜第３の何れかの特徴を有する燃料圧力調整体と、前記ケーシングに固定される前記燃料ポンプユニットとを含む燃料供給モジュールであって、前記ケーシングには、一端が前記燃料ポンプユニットの脱気口に連通すると共に他端が前記環状空間部に連通する脱気通路の少なくとも一部が設けられることを第４の特徴とする。
【００１０】
また本発明は、高圧燃料を導入可能な高圧室、その高圧室に導入された高圧燃料を吐出するための燃料吐出口、燃料タンク内に連通させる低圧室、並びに前記高圧室の燃料圧力を調整可能な調圧弁をケーシング内に備える燃料圧力調整体と、前記ケーシングに固定される燃料ポンプユニットと、前記低圧室から前記燃料タンクに燃料を戻すドレン管とを備え、前記燃料タンク外に設けられる燃料供給モジュールにおいて、前記調圧弁は、前記高圧室及び前記低圧室間を連通するように前記ケーシングに設けた受容孔に液密に嵌装される弁ハウジングと、その弁ハウジング内に収納されて前記高圧室及び前記低圧室間を導通・遮断可能な弁体とを少なくとも備え、前記低圧室は、前記高圧室及び前記受容孔を取り囲むように高圧室及び受容孔の周囲に延在した環状空間部を少なくとも含み、前記環状空間部、前記受容孔、前記高圧室、及び前記燃料ポンプユニットの吐出筒部は、それらの軸線の延びる方向が互いに略平行となるように配置され、前記ケーシングには、一端が前記燃料ポンプユニットの脱気口に連通すると共に他端が前記環状空間部に連通する脱気通路の少なくとも一部が設けられて、この脱気通路の前記他端が、前記環状空間部に、該環状空間部の軸線の延びる方向と同一方向に向けて開口することを第５の特徴とする。
【発明の効果】
【００１１】
本発明の第１の特徴によれば、燃料圧力調整体のケーシングに設けられて燃料タンク内に連通する低圧室は、ケーシングの高圧室と調圧弁の受容孔とを取り囲むように、それら高圧室及び受容孔の周囲に延在した環状空間部を含むので、ケーシングの高圧室周壁を外力や飛び石等の衝撃から効果的に保護することができ、これにより、その外力や衝撃のために高圧室周壁が破損して高圧室からの急激な燃料漏出を起こす事態を未然に且つ有効に防止可能となる。しかも低圧室の上記環状空間部が高圧室及び受容孔を取り囲むことで、受容孔内の調圧弁の作動音や、燃料ポンプユニットから高圧室側に伝播するポンプ作動音を有効に遮音できるため、それら作動音がケーシングを通して外部に漏れるのを効果的に抑制可能となる。
【００１２】
また、ケーシングの、少なくとも環状空間部及び受容孔をそれぞれ取り囲む部分は合成樹脂により一体成形されていて、その成形面で環状空間部及び受容孔が画成され、環状空間部及び受容孔は、それらの軸線の延びる方向が互いに略平行であるので、燃料を遮蔽する幾つかの空間（即ち低圧室や受容孔等）を有するケーシングを製作するに当たり、シール材や多数の壁材を組立ててケーシングを構成する必要はなくなり、燃料の液密性を確保しつつケーシングを効率よく安価に製造可能となる。しかもケーシングの一体成形時に単一の金型ピンで受容孔及び低圧室を同時且つ容易に成形可能となり、生産効率の向上に寄与することができる。
【００１３】
また、上記一体成形は、燃料ポンプユニットの、少なくとも高圧燃料の吐出筒部をインサートモールドするので、シール部材を特別に用いることなく燃料圧力調整体と燃料ポンプユニットとの間の十分な液密性が確保可能となる。また燃料圧力調整体と燃料ポンプユニットとを一纏めに組立てる工程の簡素化が図られる。
【００１４】
また更に、高圧室は、受容孔に対し同一軸線上で隣接配置され、吐出筒部の先端面の少なくとも一部は、吐出筒部の中心軸を中心にして環状に高圧室内に露出しているので、ケーシングの樹脂モールド成形時に単一の金型ピンで、受容孔及び低圧室のみならず高圧室をも同時且つ容易に成形可能となると共に、燃料ポンプユニットの吐出筒部とケーシング間の封止も同時に行うことができ、これにより、生産効率の更なる向上が図られる。
【００１５】
また特に第２の特徴によれば、ケーシングの樹脂モールド成形と同時にカプラをケーシングに一体化できるので、コスト節減が図られる。その上、ケーシングと共に一部がインサートモールドされるカプラ端子は、ケーシングの壁中で、低圧室に連なる連通孔に露出しているので、燃料ポンプユニット内の高圧燃料がカプラ端子とケーシング（樹脂）との境界面を伝って外部に漏出しようとしても、その境界面からの漏出燃料が上記連通孔を通して低圧室（従って燃料タンク）に導かれ、これにより、外部への燃料漏出を効果的に防止可能である。
【００１６】
また特に第３の特徴によれば、低圧室の環状空間部に開口する連通孔と、受容孔とは、それらの中心軸線が略平行であるので、ケーシングの樹脂モールド成形時に単一の金型ピンで受容孔、低圧室及び連通孔を同時且つ容易に成形可能となり、生産効率の更なる向上に寄与することができる。
【００１７】
また特に第４，第５の特徴によれば、ケーシングには、一端が燃料ポンプユニットの脱気口に連通すると共に他端が環状空間部に連通する脱気通路が設けられるので、燃料ポンプユニットから燃料タンクに戻される燃料流路（低圧室）を利用して燃料ポンプユニット内の脱気を行うことができ、脱気のための専用外部配管が不要となり、構造の簡素化・小型化に寄与することができる。その上、脱気通路を低圧室、特に受容孔周囲で環状に延在する環状空間部に連通させるため、脱気通路のレイアウトの自由度が高まり、脱気通路を容易に配置可能となる。
【図面の簡単な説明】
【００１８】
【図１】本発明の第１実施形態を示す燃料供給モジュールの全体縦断面図（図２の１−１線断面図）
【図２】前記燃料供給モジュールの要部横断面図（図１の２−２線断面図）
【図３】前記燃料供給モジュールのケーシング本体のモールド成形過程を説明するための図１対応断面図及び一部拡大図
【図４】本発明の第２実施形態を示す燃料供給モジュールの全体縦断面図（図１対応図）及び一部拡大図
【発明を実施するための形態】
【００１９】
本発明の実施の形態を、添付図面に例示した本発明の実施例に基づいて以下に具体的に説明する。
【００２０】
図１〜図３を参照して、本発明の第１実施形態を説明する。走行車両に搭載される内燃機関には、燃料噴射装置としての燃料噴射弁Ｆが付設されており、その燃料噴射弁Ｆと燃料タンクＴとの間を接続する燃料導管１には、燃料タンクＴ内から燃料を吸引加圧して燃料噴射弁Ｆに供給する燃料供給モジュールＦＭが設けられる。
【００２１】
この燃料供給モジュールＦＭは、燃料ポンプユニットＵと、この燃料ポンプユニットＵが吐出する燃料の圧力が過度に上昇しないよう調圧する燃料圧力調整体Ａとを複合一体化して構成される。燃料ポンプユニットＵは、単一のユニットケース２内に、図示しない燃料ポンプとこれを駆動する電動モータとを一纏めに密封、収納してユニット化したものであって、その構造は従来より知られており、また本発明の要旨ではないので、具体的な説明は省略する。
【００２２】
先ず、燃料圧力調整体Ａについて説明する。燃料圧力調整体Ａは、合成樹脂製のケーシングＣ内に、高圧燃料を導入可能な高圧室Ｈと、燃料タンクＴ内に連通させる低圧室Ｌと、高圧室Ｈの燃料圧力が所定値を超えるのに応じて高圧室Ｈから低圧室Ｌに燃料をリークさせることで高圧室Ｈの燃料圧力を所定値以下に調整する、調圧弁としてのレギュレータ弁Ｖとを備えている。
【００２３】
ケーシングＣは、概ね有底円筒状をなすケーシング本体Ｃｍと、そのケーシング本体Ｃｍの開放端部に一体的且つ液密に結合されて開放端面を覆うカバー体Ｃａとを備える。そのカバー体Ｃａのケーシング本体Ｃｍに対する結合手段は任意であり、例えば溶着手段、接着手段、ねじ止め手段等が実施可能である。カバー体Ｃａの外面には、ドレン管３が突設されており、ドレン管３には、燃料タンクＴ内に連通するドレン配管４が接続される。
【００２４】
ケーシング本体Ｃｍとカバー体Ｃａとの相対向面間には低圧室Ｌが画成される。この低圧室Ｌは、カバー体Ｃａの内側面が臨む扁平な円板状の基部空間部Ｌｂと、その基部空間部Ｌｂの外周部に直接連通する円筒状の環状空間部Ｌｏとを備える。その環状空間部Ｌｏは、ケーシング本体Ｃｍの、カバー体Ｃａとの対向面の一部を凹ませて形成した環状凹部の内面により画成される。
【００２５】
ケーシング本体Ｃｍには、基部空間部Ｌｂの中心部に直接連通する円柱状の受容孔Ｍと、受容孔Ｍに同一軸線（即ちケーシングＣの中心軸線）上に縦列配置されて受容孔Ｍに直接連通する高圧室Ｈとが形成される。而して、低圧室Ｌの環状空間部Ｌｏは、高圧室Ｈ及び受容孔Ｍを同心状に取り囲むように高圧室Ｈ及び受容孔Ｍの周囲に延在する。
【００２６】
レギュレータ弁Ｖは、受容孔Ｍの周壁に液密に（即ちシール部材を介して）嵌装される弁ハウジングＶｈと、弁ハウジングＶｈに設けられる弁孔５を開閉可能な弁体Ｖｖと、弁体Ｖｖを閉弁方向（図１右方）に弾発する弁ばねＶｓとを備える。
【００２７】
弁ハウジングＶｈは、上記弁孔５が高圧室Ｈ及び低圧室Ｌ間を連通させるように形成される弁ハウジング本体Ｖｈｍと、その弁ハウジング本体Ｖｈｍに嵌着されて弁ばねＶｓの固定端を支持する有底円筒状のばね受けＶｈｓとで構成される。
【００２８】
また弁ハウジング本体Ｖｈｍには、弁孔５の低圧室Ｌ側の開口縁部に弁座６が形成される。この弁座６に接離可能に着座する弁体Ｖｖとして、本実施形態では弁ボールが採用される。尚、本発明の弁体Ｖｖは、本実施形態に限定されず、例えばポペット状弁体を用いてもよい。
【００２９】
また弁体Ｖｖには、低圧室Ｌ側に延びる弁杆８が固着（又は一体に形成）され、作動杆８の大径基部で弁ばねＶｓの可動端が支持される。この弁杆８の小径先端部は、カバー体Ｃａ外面のドレン管３内に臨んでいる。
【００３０】
而して、弁体Ｖｖは、通常は弁ばねＶｓの弾発力で閉弁位置（即ち弁座６に対する着座位置）に保持され、また高圧室Ｈの燃料圧力が所定の開弁圧力以上に増大するのに応じて弁ばねＶｓに抗して弁座６から離れるよう開弁動作する。この開弁動作により、高圧室Ｈ及び低圧室Ｌ間が連通して高圧室Ｈの高圧燃料の一部を低圧室Ｌ側にリークさせ、そこからドレン管３を介して燃料タンクＴ側に逃がす。これにより、高圧室Ｈの燃料圧力（即ち燃料ポンプユニットＵからの吐出燃料圧力）が所定値以下に調整される。
【００３１】
ところでケーシング本体Ｃｍは、これの少なくとも、環状空間部Ｌｏを取り囲む略円筒状の外壁部分Ｃｍｏと、受容孔Ｍ及び高圧室Ｈを取り囲む同じく略円筒状の内壁部分Ｃｍｉとが、ケーシング本体Ｃｍの他の部分と共に一体成形される。そして、その成形面で、低圧室Ｌ（特に環状空間部Ｌｏの略全部及び基部空間部Ｌｂの一部）並びに受容孔Ｍ及び高圧室Ｈが画成される。そして、低圧室Ｌの略円筒形状となる環状空間部Ｌｏと、段突き円柱状となる受容孔Ｍ及び高圧室Ｈとは、それらの軸線の延びる方向が略平行である。
【００３２】
またケーシング本体Ｃｍの、レギュレータ弁Ｖとは反対側（図１右側）の端部には吸込管部１１が一体に突設され、この吸込管部１１の内端は、ユニットケース２の同側の端部に開口する燃料ポンプユニットＵの燃料吸込口２ｉに連通する。また、吸込管部１１は、燃料導管１の上流側導管部分に接続されており、燃料導管１を介して燃料タンクＴに連通する。
【００３３】
更にケーシング本体Ｃｍの外周部には、高圧室Ｈの高圧燃料を吐出させる燃料吐出口としての吐出管部１２が一体に突設される。この吐出管部１２は、燃料導管１の下流側導管部分を介して燃料噴射弁Ｆに接続されており、高圧室Ｈの高圧燃料を燃料噴射弁Ｆに供給できるようになっている。
【００３４】
ケーシングＣを分割構成するカバー体Ｃａ及びケーシング本体Ｃｍは、本実施形態では合成樹脂の射出成形により各々、一体物として形成される。そして、特にケーシング本体Ｃｍには、高圧室Ｈに隣接する部位において、予め別の製造工程で組立てられた燃料ポンプユニットＵの少なくとも一部（本実施形態では全部）が、射出成形に伴いインサートモールドされる。
【００３５】
燃料ポンプユニットＵのユニットケース２の一端部には、ユニットケース２内の燃料ポンプから吐出される高圧燃料の出口となる段付きの吐出筒部２ａが一体に突設される。そして、吐出筒部２ａの先端面２ａｅの少なくとも一部は、吐出筒部２ａの中心軸を中心にして環状に高圧室内に露出している。
【００３６】
また本実施形態では、ケーシング本体Ｃｍに燃料ポンプユニットＵへの給電用カプラＣＰが設けられる。このカプラＣＰは、ケーシング本体Ｃｍの外周部に一体に突設したカプラ筒部ＣＰｃと、カプラ筒部ＣＰｃ内に外端部を臨ませた３つのカプラ端子ＣＰｔとで構成される。それらカプラ端子ＣＰｔの内端部は、燃料ポンプユニットＵ（特にユニットＵ内の電動モータ）の受電部としてユニットケース２の端面より突出する３つの導電性接続部材１０にそれぞれ結合（即ち電気的に接続）される。而して、上記カプラＣＰが、図示しない外部配線のカプラと抜差可能に結合されることで、エンジンの運転時には外部配線を通して燃料ポンプユニットＵ内の電動モータに通電（従って燃料ポンプを駆動）できるようになっている。
【００３７】
ケーシング本体Ｃｍを前述のように射出成形する際には、上記カプラ端子ＣＰｔの一部と導電性接続部材１０とが、燃料ポンプユニットＵと共にケーシング本体Ｃｍ中にインサートモールドされる。
【００３８】
またケーシング本体Ｃｍには、各カプラ端子ＣＰｔの少なくとも一部を低圧室Ｌに連通させる３つの連通孔１５が互いに間隔をおいて形成される。この連通孔１５の一端は低圧室Ｌの環状空間部Ｌｏに開口しており、またその他端には各カプラ端子ＣＰｔの中間部の板面が露出している。この連通孔１５は、ケーシングＣの軸線に沿う方向に直線状に延びており、従って、連通孔１５と、高・低圧室Ｈ，Ｌや受容孔Ｍとは、それらの軸線の延びる方向が略平行である。尚、各連通孔１５に露出する各カプラ端子ＣＰｔの中間部には、連通孔１５よりも小径の小貫通孔ｈが形成され、この小貫通孔ｈには、後述する金型ピンＰの位置決め用突起Ｐａｔｓが挿入可能である。
【００３９】
次に第１実施形態の作用を説明する。エンジンの運転時には、通電状態となる燃料ポンプユニットＵが作動して燃料タンクＴ内の燃料を吸引加圧し、その加圧燃料を燃料圧力調整体Ａを通してエンジンの燃料噴射弁Ｆに供給する。
【００４０】
この場合、燃料ポンプユニットＵからの吐出燃料圧力（即ち高圧室Ｈの圧力）が所定値以上に上昇しようとすれば、燃料圧力調整体Ａのレギュレータ弁Ｖが開弁動作することにより高圧室Ｈの高圧燃料の一部を低圧室Ｌ側にリークさせ、そのリークした燃料を低圧室Ｌからドレン管３を介して燃料タンクＴ側に逃がす。これにより、高圧室Ｈの燃料圧力、燃料ポンプユニットＵからの吐出燃料圧力が所定値以下に調整される。
【００４１】
特に本実施形態の燃料圧力調整体Ａにおいては、ケーシングＣ内に画成される低圧室Ｌが、ケーシングＣの高圧室Ｈとレギュレータ弁収納用の受容孔Ｍとを取り囲むように、それら高圧室Ｈ及び受容孔Ｍの周囲に延在した環状空間部Ｌｏを含むものであり、この環状空間部Ｌｏの特設により、ケーシングＣの高圧室周壁（即ち内壁部分Ｃｍｉ）を外力や飛び石等の衝撃から効果的に保護できる。これにより、その外力や衝撃のために高圧室周壁Ｃｍｉが破損して高圧室Ｈからの急激な燃料漏出が起きる事態を未然に且つ有効に防止することができる。しかも低圧室Ｌの環状空間部Ｌｏが高圧室Ｈ及び受容孔Ｍを取り囲むことで、受容孔Ｍ内のレギュレータ弁Ｖが発する作動音や、燃料ポンプユニットＵから高圧室Ｈ側に伝播するポンプ作動音等を有効に遮音できるため、それらの作動音がケーシングＣを通して外部に漏れるのを効果的に抑制可能となる。
【００４２】
また本実施形態のケーシングＣにおいて、ケーシング本体Ｃｍは、これの上記環状空間部Ｌｏを取り囲む部分Ｃｍｏと、受容孔Ｍ及び高圧室Ｈを取り囲む部分Ｃｍｉとが合成樹脂により一体成形されていて、その成形面で、低圧室Ｌ（特に環状空間部Ｌｏの略全部及び基部空間部Ｌｂの一部）、並びに受容孔Ｍ及び高圧室Ｈが画成されており、低圧室Ｌの環状空間部Ｌｏと、受容孔Ｍ及び高圧室Ｈとは、それらの軸線の延びる方向が互いに略平行である。これにより、燃料を遮蔽する幾つかの空間（高・低圧室Ｈ，Ｌや受容孔Ｍ等）を有するケーシング本体Ｃｍを製作するに当たり、シール材や多数の壁材を組立ててケーシング本体Ｃｍを構成する必要はなくなるため、燃料の液密性を確保しつつケーシング本体Ｃｍを効率よく安価に製造可能となる。しかも後述するように単一の金型ピンＰを使用することで、高・低圧室Ｈ，Ｌや受容孔Ｍを同時且つ容易に精度よく成形可能となるため、生産効率の向上が図られる。
【００４３】
ところで合成樹脂による射出成形によりケーシング本体Ｃｍを一体成形する際には、予め燃料ポンプユニットＵの受電部としての導電性接続部材１０にカプラ端子ＣＰｔを結合した上で、この燃料ポンプユニットＵを金型（図示せず）のキャビティの所定位置にセットする。そして、そのキャビティに溶融状態の合成樹脂材を射出して、燃料ポンプユニットＵの、吐出筒部２ａを含むユニット全体をケーシング本体Ｃｍ中にインサートモールドする。これにより、シール部材を特別に用いることなく燃料圧力調整体Ａと燃料ポンプユニットＵとの間の十分な液密性が確保可能となり、燃料圧力調整体Ａと燃料ポンプユニットＵとを一纏めに組立てる工程の簡素化が図られる。
【００４４】
また上記インサートモールドを実施する際には、例えば図３に例示したような単一の金型ピンＰが使用される。この金型ピンＰは、環状空間部Ｌｏ成形用の第１突出部Ｐａと、受容孔Ｍ及び高圧室Ｈ成形用の段付きの第２突出部Ｐｂとを一体に有している。第１突出部Ｐａの先端には、連通孔１５成形用の３つの小径突部Ｐａｔが一体に連設され、更にその小径突部Ｐａｔの先端面には、各カプラ端子ＣＰｔの中間部に設けた前記小貫通孔ｈに挿入可能な位置決め用突起Ｐａｔｓが一体に突設される。また第２突出部Ｐｂの先端面には、燃料ポンプユニットＵの吐出筒部２ａの先端開口に挿入可能な位置決め用突起Ｐｂｓが一体に突設される。
【００４５】
そして、射出成型前に金型ピンＰ及び燃料ポンプユニットＵを上記金型にセットした状態では、金型ピンＰ（第１突出部Ｐａ）の小径突部Ｐａｔの先端面をカプラ端子ＣＰｔの中間部の板面に突き当て且つ位置決め用突起Ｐａｔｓを小貫通孔ｈに挿入させると共に、第２突出部Ｐｂの先端面を燃料ポンプユニットＵの吐出筒部２ａの先端面２ａｅに突き当て且つ位置決め用突起Ｐｂｓを吐出筒部２ａに挿入させることで、金型ピンＰの金型への位置決め（従ってセット作業）が容易且つ的確になされる。
【００４６】
斯かるセット状態よりケーシング本体Ｃｍの射出成形が完了して金型ピンＰを金型より抜き出したときは、ケーシング本体Ｃｍにおいて、第１突出部Ｐａの抜き跡には環状空間部Ｌｏ及び連通孔１５が形成され、また第２突出部Ｐｂの抜き跡には、受容孔Ｍ及び高圧室Ｈが形成される。そして、射出成形後のケーシング本体Ｃｍにおいて、高圧室Ｈは、受容孔Ｍに対し同一軸線上で隣接配置され、吐出筒部２ａの先端面２ａｅの少なくとも一部は、吐出筒部２ａの中心軸を中心にして環状に高圧室内に露出している。
【００４７】
而して、ケーシング本体Ｃｍの樹脂モールド成形時に単一の金型ピンＰで、上述のように高・低圧室Ｈ，Ｌや受容孔Ｍを同時に成形できるだけでなく、燃料ポンプユニットＵの吐出筒部２ａとケーシング本体Ｃｍ間の封止も同時に的確に行うことができ、生産効率の更なる向上が図られる。
【００４８】
また本実施形態のケーシング本体Ｃｍには、燃料ポンプユニットＵへの給電用カプラ端子ＣＰｔと共にカプラＣＰを構成するカプラ筒部ＣＰｃが一体に形成されており、燃料ポンプユニットＵの受電部即ち導電性接続部材１０と、これに結合したカプラ端子ＣＰｔの一部とがインサートモールドされるため、ケーシング本体Ｃｍの樹脂モールド成形と同時にカプラＣＰをケーシング本体Ｃｍに一体に組み込むことができ、コスト節減が図られる。しかもカプラ端子ＣＰｔの一部は、ケーシング本体Ｃｍの壁中で、低圧室Ｌ（環状空間部Ｌｏ）に連なる連通孔１５に露出しているため、燃料ポンプユニットＵ内の高圧燃料が接続部材１０及びカプラ端子ＣＰｔと、ケーシング本体Ｃｍ（樹脂）との境界面の微小間隙を伝って外部に漏出しようとしても、その境界面からの漏出燃料が上記連通孔１５を通して低圧室Ｌ（従って燃料タンクＴ）に導かれる。これにより、上記境界面を通して燃料の外部漏出を効果的に防止することができる。
【００４９】
その上、低圧室Ｌの環状空間部Ｌｏに開口する連通孔１５と、高・低圧室Ｈ，Ｌや受容孔Ｍとは、それらの軸線の延びる方向が略平行であるので、ケーシング本体Ｃｍの樹脂モールド成形時に単一の金型ピンＰで、連通孔１５と、高・低圧室Ｈ，Ｌや受容孔Ｍとを同時且つ容易に成形可能となり、生産効率の更なる向上が図られる。
【００５０】
次に図４を参照して、第２実施形態を説明する。
【００５１】
この第２実施形態の燃料ポンプユニットＵにおいて、ユニットケース２の、レギュレータ弁Ｖとは反対側の端部には、燃料ポンプユニットＵ内に発生した気泡を排出するための脱気口２ｄが開口している。一方、ケーシング本体Ｃｍの外周壁には、ケーシング本体Ｃｍの軸線と平行に延びる脱気通路２０が形成される。この脱気通路２０の一端は、少なくとも１つのカプラ端子ＣＰｔの小貫通孔ｈ及び連通孔１５を通して低圧室Ｌの環状空間部Ｌｏに連通すると共に、環状空間部Ｌｏに、該環状空間部Ｌｏの軸線の延びる方向と同一方向に向けて開口する。また脱気通路２０の他端は、ケーシング本体Ｃｍの上記端部に形成した連通室２１を介して上記脱気口２ｄに連通している。ケーシング本体Ｃｍの上記端部には、連通室２１の外側を液密に閉塞する栓体２２が後付けで固着される。
【００５２】
その他の構成は、第１実施形態と同様であるので、各構成要素には、第１実施形態で対応する構成要素と同一の参照符号を付すに止め、説明は省略する。
【００５３】
而して、第２実施形態においても、第１実施形態の前記した作用効果と基本的に同様の作用効果を達成可能である。
【００５４】
更に第２実施形態のケーシング本体Ｃｍには、一端が燃料ポンプユニットＵの脱気口２ｄに連通すると共に他端が低圧室Ｌの環状空間部Ｌｏに連通する脱気通路２０が、ケーシング本体Ｃｍの軸線に沿うように形成されるため、燃料ポンプユニットＵの吐出側から燃料タンクＴ側へ過剰燃料を戻すための燃料流路（即ち低圧室Ｌ）を利用して燃料ポンプユニットＵ内の脱気を行うことができる。これにより、脱気のための専用外部配管が不要となり、構造の簡素化・小型化が図られる。その上、脱気通路２０を低圧室Ｌ、特に受容孔Ｍ周囲で環状に延在する環状空間部Ｌｏに連通させるため、脱気通路２０のレイアウトの自由度が高められると共に短縮化が図られ、脱気通路２０を容易に配置可能となる。
【００５５】
以上、本発明の実施形態について説明したが、本発明はそれら実施形態に限定されることなく、本発明の範囲内で種々の実施形態が可能である。
【００５６】
例えば、前記実施形態では、燃料圧力調整体ＡのケーシングＣ（ケーシング本体Ｃｍ）に燃料ポンプユニットＵの全部がインサートモールドされたものを示したが、本発明では、燃料ポンプユニットＵの一部、例えば吐出筒部２ａだけをケーシング本体Ｃｍにインサートモールドするようにして、燃料ポンプユニットＵの残余の部分を外部に露出させるようにしてもよい。また、請求項１，２の発明では、燃料圧力調整体Ａに燃料ポンプユニットＵを、例えばインサートモールド以外の結合手段（例えばネジ止め、溶接、溶着、カシメ、接着等）で結合するようにしてもよい。
【００５７】
また前記実施形態では、ケーシング本体Ｃｍに設けた燃料吐出部（吐出管部１２）を、燃料導管１を介して燃料噴射装置（燃料噴射弁Ｆ）に接続したものを示したが、燃料噴射装置（燃料噴射弁Ｆ）及び燃料供給モジュールＦＭの配置・構造によっては、ケーシング本体Ｃｍの燃料吐出部（吐出管部１２）を燃料噴射装置（燃料噴射弁Ｆ）に対して、燃料導管１を介さずに直結するようにしてもよい。
【符号の説明】
【００５８】
Ａ・・・・・・燃料圧力調整体
Ｃ・・・・・・ケーシング
Ｃｍｉ・・・・内壁部分（ケーシングの受容孔を取り囲む部分）
Ｃｍｉｅ・・・内壁部分の、受容孔とは反対側の端面
Ｃｍｏ・・・・外壁部分（ケーシングの環状空間部を取り囲む部分）
ＣＰ・・・・・カプラ
ＣＰｃ・・・・カプラ筒部
ＣＰｔ・・・・カプラ端子
ＦＭ・・・・・燃料供給モジュール
Ｈ・・・・・・高圧室
Ｌ・・・・・・低圧室
Ｌｏ・・・・・環状空間部
Ｍ・・・・・・受容孔
Ｔ・・・・・・燃料タンク
Ｖ・・・・・・レギュレータ弁（調圧弁）
Ｖｈ・・・・・弁ハウジング
Ｖｖ・・・・・弁体
Ｕ・・・・・・燃料ポンプユニット
２ａ・・・・・吐出筒部
２ａｅ・・・・吐出筒部の先端面
２ｄ・・・・・脱気口
３・・・・・・ドレン管
１０・・・・・導電性接続部材（受電部）
１２・・・・・吐出管部（燃料吐出口）
１５・・・・・連通孔
２０・・・・・脱気通路